(57)【要約】本発明による携帯用歯間ブラシは、使用しない携帯時には、洗浄液チューブの組立突出部上に配置された弾性ボールが流出溝および通過溝に密着されるので、洗浄液が漏れず、使用時には弾性ボールが流出溝から分離されて離脱されているため、洗浄液が流出孔を介して流出され通過溝を通過してブラシに到達される状態になるので、使用が便利であり、携帯が容易になり、構造が簡単になって製造が容易であり、製造コストが安価になって誰でも使用することができるようになり、国民の歯を健康な状態に維持させることができる。【選択図】図３
2016526938.tif 000002
【特許請求の範囲】
【請求項１】
携帯用歯間ブラシＡにおいて、
前記携帯用歯間ブラシＡは、フッ素が含まれた洗浄液Ｓが収納されたびん形の洗浄液チューブ１と、
前記洗浄液チューブ１のボトルネック部が挿入されて組み立てられるように組立凹部孔２１が一端部に形成され、他端部にはブラシ２２が固定されたブラシ組立部２と、
前記ブラシ組立部２の内側の洗浄液チューブ１の先端部に配置され、伸縮される弾性ボール３を含むことを特徴とする携帯用歯間ブラシ。
【請求項２】
前記洗浄液チューブ１は製造が容易に合成樹脂で成形され、洗浄液Ｓが収納されたチューブ本体１０と、前記チューブ本体１０から延びるボトルネック部に対応するように小さな直径で形成され、先端部には洗浄液Ｓが流出される排出孔１２が形成され、下部の外側には組立ねじ部１３が形成され、小さな直径に突出した組立突出部１１と、前記チューブ本体１０と組立突出部１１との間の断絶した部分に形成された係止段１４を含むことを特徴とする請求項１に記載の携帯用歯間ブラシ。
【請求項３】
前記ブラシ組立部２は、一端部にブラシ２２が固定され、他端部には組立凹部孔２１が形成され、前記組立凹部孔２１の下部の内側には前記組立ねじ部１３にかみ合うめねじ部２４が形成され、前記組立凹部孔２１の中間に位置する弾性ボール３が挿入される中間空間部２５の内壁には縦方向に形成された多数の流出溝２５ａが形成され、前記中間空間部２５の上部にはブラシ固定孔２７が形成され、前記ブラシ２２の一端部に固着された固定棒２６が挿入固定されたことを特徴とする請求項１に記載の携帯用歯間ブラシ。
【請求項４】
前記ブラシ２２の一端部に固着された固定棒２６の外側面に縦方向に多数の通過溝２６ａを形成させ、前記固定棒２６をブラシ組立部２の一端部に形成されたブラシ固定孔２７上に挿入固定させて洗浄液が通過される通過溝２６ａが形成されたことを特徴とする請求項３に記載の携帯用歯間ブラシ。
【請求項５】
携帯用歯間ブラシＡにおいて、
前記携帯用歯間ブラシＡは、フッ素が含まれた洗浄液Ｓが収納されたびん形の洗浄液チューブ１と、
前記洗浄液チューブ１のボトルネック部が挿入されて組み立てられるように組立凹部孔２１が一端部に形成され、他端部にはブラシ２２が固定されたブラシ組立部２と、
前記ブラシ組立部２の内側の洗浄液チューブ１の先端部に配置され、伸縮される弾性ボール３を含み、
前記洗浄液チューブ１は、製造が容易に合成樹脂で成形され、洗浄液Ｓが収納されたチューブ本体１０と、前記チューブ本体１０から延びるボトルネック部に対応するように小さな直径で形成され、先端部には洗浄液Ｓが流出される排出孔１２が形成され、下部の外側には複数の突出半円部１７が円形に離隔されるように突出形成され、前記洗浄液チューブ１より小さい直径に突出した組立突出部１１を含み、
前記ブラシ組立部２は、一端部にブラシ２２が固定され、他端部には組立凹部孔２１が形成され、前記組立凹部孔２１の下部の内側には前記突出半円部１７にスナップ組み立てされるように円形で、前記突出半円部１７に対応するように離隔されるように形成された嵌合凹部２８が形成されたことを特徴とする携帯用歯間ブラシ。
【請求項６】
携帯用歯間ブラシＡにおいて、
前記携帯用歯間ブラシＡは、フッ素が含まれた洗浄液Ｓが収納されたびん形の洗浄液チューブ１と、
前記洗浄液チューブ１のボトルネック部が挿入され、組み立てられるように組立凹部孔２１が一端部に形成され、他端部にはブラシ２２が固定されたブラシ組立部２と、
前記ブラシ組立部２の内側の洗浄液チューブ１の先端部に配置され、伸縮される弾性ボール３を含み、
前記洗浄液チューブ１は、製造が容易に合成樹脂で成形され、洗浄液Ｓが収納されたチューブ本体１０と、前記チューブ本体１０から延びるボトルネック部に対応するように小さな直径で形成され、先端部には洗浄液Ｓが流出される排出孔１２が形成され、側面には１回転または２回転程度のねじ突出溝１８が形成され、前記洗浄液チューブ１より小さい直径で突出した組立突出部１１を含み、
前記ブラシ組立部２は、一端部にブラシ２２が固定され、他端部には組立凹部孔２１が形成され、前記組立凹部孔２１の下端の内側面には前記ねじ突出溝１８に対応するように１回転または２回転程度のねじ凹溝２９が形成されたことを特徴とする携帯用歯間ブラシ。
【請求項７】
前記組立突出部１１の上端には逆流防止突出縁１１ａが形成され、
前記ブラシ組立部２の組立凹部孔２１の下端の内側面の上端には逆流防止突出縁１１ａが安着される安着凹部２１ａが形成されたことを特徴とする請求項６に記載の携帯用歯間ブラシ。
【発明の詳細な説明】
【技術分野】
【０００１】
本発明は、携帯用歯間ブラシに関するものであって、より具体的に説明すると、旅行や外出時、食事後に歯の間にはさまる異物やプラークの清掃及び消毒が可能なように、携帯用として持参することが可能で、このような歯間ブラシを携帯した状態で歯ブラシに洗浄液を容易に供給する洗浄液チューブの組立突出部上に配置された弾性ボールが伸縮され、ブラシ本体の流出溝と通過溝を開閉しながら洗浄液の流出が制御され、使用するのに便利で構造も単純になり製造コストが安価になる携帯用歯間ブラシに関するものである。
【背景技術】
【０００２】
一般的に、歯間ブラシは、ホルダの先端に歯と歯の間を磨くための小さな毛状のブラシが取り付けられたもので、ブラシを歯間の隙間に入れて抜く動作で歯間をきれいにする口腔を清浄にする用品であって、このような歯間ブラシの使用により一般の歯ブラシが届かない部分の食べかすやプラークを容易に除去することができ、スケーリングなどの歯科治療後の消毒や喫煙後の歯石予防が可能になり、特に歯列矯正装置のような歯補助物の洗浄にも使用して清潔な状態を保つことができる効果がある。
【０００３】
しかし、現在の歯間ブラシの使用実態を見てみると、ブラシだけで洗浄が行われるため、歯茎が刺激され、出血が発生する場合が頻繁で、プラークをはじめとする食べかす除去能力が弱いという問題点があり、歯間ブラシを継続的に使用する場合には、これによる清潔状態の不良でブラシから不快な臭いがしたり、特に、細菌が増殖するという問題点があった。
【０００４】
前記のような問題点を解決するため、図１に示すように、ブラシ１３０が結合された歯ブラシ１１０の内部に洗浄液１４０が備えられた蓋１２０を結合させ、ユーザーが使用するたびに前記歯ブラシ１１０を洗浄液に浸し、ブラシ１３０に洗浄液１４０が付くようにする歯ブラシが開発されたが、しかし、前記の方法は、洗浄液１４０が歯ブラシの蓋１２０に保管されるため、ユーザーの不注意により蓋１２０が開放された場合、内部に保管された洗浄液が外部にそのまま流出しうるという問題点があり、歯ブラシ１１０を使用する場合、蓋１２０に保管された洗浄液の流出を防ぐために保管に注意を要し、歯ブラシ１１０に洗浄液を付けようとするたびに蓋１２０に歯ブラシ１１０を差し入れて抜く動作を繰り返さなければならない煩わしさがあった。
【０００５】
このような問題点を解決するために、特許文献１の「洗浄液が備えられた歯間ブラシ」という名称の特許が提案され、前記特許は、図２に示すように、両端が開放されたケース４０、前記ケース４０の内部に設けられ、一方に排出口３２が形成され、他方が開口された保管筒３０、前記保管筒３０の開口された外周面に結合され先端にチェックバルブ８０が結合された段チューブ７０、前記排出口３２の外周面に設けられるスプリング５５、前記排出口３２の外周面に設けられて外周面にねじ部が形成された連結ソケット５０、前記排出口３２にねじ締結され、内部に円錐形の排出孔が形成され、先端が上下に割れるとともに外周面に傾斜段６２が形成されたノズル６０、前記ノズル６０の割れた先端外周面に結合され、前記連結ソケット５０の一側面と当接する固定リング６５、前記連結ソケット５０に形成されたねじ部に締結され、前面にブラシ９５が結合されるとともに数個の噴射孔９２が形成されたノズルキャップ９０から構成され、従来の洗浄液の取り扱いの不便を解消させた効果はあるが、これを製造するには、その構造が複雑で製造コストが高価になり実用性がなく、使用された洗浄液が多使用されて残った場合には、再度保管筒３０に洗浄液を補充しなければならないが、このような保管筒３０に洗浄液を補充することができないため、高価で購入した歯間ブラシを使用することができなくなる問題点があった。
【先行技術文献】
【特許文献】
【０００６】
【特許文献１】韓国登録特許第１０−０４６８０７５号公報
【発明の概要】
【発明が解決しようとする課題】
【０００７】
本発明の目的は、このような問題点を解決するためのものであって、洗浄液が密封状態で収納されて携帯が簡単になり活動性が保証され、使用時には、洗浄液チューブの先端部に配置された弾性ボールの伸縮動作に応じて弾性ボールを締めて解除させることにより容易に洗浄液の流出を調節することができるようになり、構造が簡単で製造コストが安価ながら容易に使うことができ、使用が便利な携帯用歯間ブラシを提供することである。
【課題を解決するための手段】
【０００８】
本発明のこのような目的は、洗浄液が収納されて携帯が簡単になり、先端部には弾性ボールが伸縮可能に配置されて洗浄液の流出が制御される組立突出部が形成された洗浄液チューブと、ブラシが先端部に固定され、ブラシが固定された先端部に複数の通過溝が前記ブラシの縁に形成され、前記洗浄液チューブの先端部の弾性ボールが組み立てられる下部には組立凹溝孔が底面に形成されたブラシ本体を含み、使用時には、洗浄液チューブの組立突出部が前後進されて弾性ボールが収縮及び膨張され、前記流出溝および通過溝を遮断および開放する方式で作動され、洗浄液の流出を制御する本発明による携帯用歯間ブラシによって達成される。
【発明の効果】
【０００９】
本発明による携帯用歯間ブラシは、使用しない携帯時には、洗浄液チューブの組立突出部上に配置された弾性ボールが流出溝および通過溝に密着されるので、洗浄液が漏れず、使用時には弾性ボールが流出溝から分離されて離脱されているため、洗浄液が流出孔を介して流出され通過溝を通過してブラシに到達される状態になるので、使用が便利であり、携帯が容易になり、構造が簡単になって製造が容易であり、製造コストが安価になって誰でも使用することができるようになり、国民の歯を健康な状態に維持させることができる優れた効果がある。
【図面の簡単な説明】
【００１０】
【図１】従来の歯間ブラシの縦断面図である。
【図２】従来の他の歯間ブラシの分解斜視図である。
【図３】本発明の第１の実施例による携帯用歯間ブラシの斜視図である。
【図４】本発明の第１の実施例による携帯用歯間ブラシの分解斜視図である。
【図５】本発明の第１の実施例による携帯用歯間ブラシの概略的な縦断面図である。
【図６ａ】本発明の第１の実施例による携帯用歯間ブラシの弾性ボールの圧縮時の縦断面図及び平断面図である。
【図６ｂ】本発明の第１の実施例による携帯用歯間ブラシの弾性ボールの圧縮時の縦断面図及び平断面図である。
【図７ａ】本発明の第１の実施例による携帯用歯間ブラシの弾性ボールの圧縮解除時の縦断面図及び平断面図である。
【図７ｂ】本発明の第１の実施例による携帯用歯間ブラシの弾性ボールの圧縮解除時の縦断面図及び平断面図である。
【図８ａ】本発明の第１の実施例による携帯用歯間ブラシの係止段部の平面図及び縦断面図である。
【図８ｂ】本発明の第１の実施例による携帯用歯間ブラシの係止段部の平面図及び縦断面図である。
【図９ａ】本発明の第２の実施例による携帯用歯間ブラシの圧縮時と圧縮解除時の概略的な縦断面図である。
【図９ｂ】本発明の第２の実施例による携帯用歯間ブラシの圧縮時と圧縮解除時の概略的な縦断面図である。
【図１０ａ】本発明の第３の実施例による携帯用歯間ブラシの圧縮時と圧縮解除時の概略的な縦断面図である。
【図１０ｂ】本発明の第３の実施例による携帯用歯間ブラシの圧縮時と圧縮解除時の概略的な縦断面図である。
【図１１ａ】本発明の第４の実施例による携帯用歯間ブラシの概略的な縦断面図である。
【図１１ｂ】本発明の第４の実施例による携帯用歯間ブラシの概略的な縦断面図である。
【発明を実施するための形態】
【００１１】
本発明の第１の実施例による携帯用歯間ブラシＡは、図３、図４及び図５に示すように、フッ素が含まれた洗浄液Ｓが収納されたびん形の洗浄液チューブ１と、前記洗浄液チューブ１のボトルネック部が挿入されて組み立てられるように組立凹部孔２１が一端部に形成され、他端部にはブラシ２２が固定されたブラシ組立部２と、前記ブラシ組立部２の内側の洗浄液チューブ１のボトルネック部の先端部に配置され、伸縮される弾性ボール３を含む。
【００１２】
前記洗浄液チューブ１は、図３、図４及び図５に示すように、製造が容易なように合成樹脂で成形され、洗浄液Ｓが収納されたチューブ本体１０と、前記チューブ本体１０から延びるボトルネック部に対応するようにチューブ本体１０より小さい直径で形成され、先端部には洗浄液Ｓが流出される排出孔１２が形成され、下部の外側には組立ねじ部１３が形成され、前記チューブ本体１０より小さい直径で突出した組立突出部１１と、前記チューブ本体１０と組立突出部１１との間の断絶した部分に形成された係止段１４を含む。前記チューブ本体１０の外側の両側面は平らな部分が形成されて、ラベルや広告の文句が付される。
【００１３】
前記組立突出部１１の排出孔１２が形成された先端部は、損傷を防止するために補強縁１２ａが厚く形成されて排出孔の強度を補強する。
【００１４】
前記係止段１４上には多数の突起１４ａが配置され、前記突起１４ａの位置が異なり、各突起１４ａの位置に基づいて、前記ブラシ組立部２との組立状態が異なるので、前記ブラシ組立部２との組立状態が容易にわかるようになっている。
【００１５】
前記ブラシ組立部２は、一端部にブラシ２２が固定され、他端部には組立凹部孔２１が形成され、前記組立凹部孔２１の係止段１４に接する底面２３には、前記突起１４ａにかみ合い、前記突起１４ａが挿入される嵌合凹部２３ａが形成されている。
【００１６】
前記組立凹部孔２１の下部の内側には、前記組立ねじ部１３にかみ合うめねじ部２４が形成され、前記洗浄液チューブ１と組み立てられるようになる。
【００１７】
前記組立凹部孔２１の中間に位置する弾性ボール３が挿入される中間空間部２５の内壁には、縦方向に形成された多数の流出溝２５ａが形成されており、前記洗浄液チューブ１の排出孔１２を介して流出される洗浄液Ｓが流出溝２５ａを介して流出されるようになる。
【００１８】
洗浄液Ｓの流出の調節は、洗浄液チューブ１とブラシ組立部２とねじ組み立てされた状態で洗浄液チューブ１を開く方向に回すと流出溝２５ａを介してより多くの洗浄液が流出し、洗浄液チューブ１を締める方向に回すと弾性ボール３が圧迫されて流出溝２５ａを圧迫させるので、洗浄液が流出溝２５ａを通過できないようになり、洗浄液Ｓの流出が停止されるように制御される。
【００１９】
前記ブラシ２２のブラシ組立部２への固定は、前記ブラシ２２の一端部に固着された固定棒２６の外側面に縦方向に多数の通過溝２６ａを形成させ、このような固定棒２６をブラシ組立部２の一端部に形成されたブラシ固定孔２７上に挿入固定させてブラシ２２をブラシ組立部２に固定させるものである。別の例として、前記ブラシ２２が一端部に固着された円筒形の固定棒２６が内側面に多数の通過溝が形成されたブラシ固定孔２７に挿入されて通過溝を形成させる方法も当然本発明の範囲に含まれるといえる。
【００２０】
このようにブラシ２２がブラシ組立部２に固定されると、洗浄液Ｓは、洗浄液チューブ１の排出孔１２とブラシ組立部２の中間空間部２５の流出溝２５ａとブラシ組立部２の通過溝２６ａを介してブラシ２２上に供給される構造である。
【００２１】
前記弾性ボール３は、ブラシ組立部２の中間空間部２５内に挿入され、その下部は洗浄液チューブ１の組立突出部１１の排出孔１２が形成された先端部に接するようになり、その側面と上部は組立部２の中間空間部２５に隣接するようになり、洗浄液Ｓの流出を制御する重要な構成部分となる。
【００２２】
すなわち、洗浄液Ｓの流出の調節は、洗浄液チューブ１と弾性ボール３とブラシ組立部２がねじ組み立てされた状態で、洗浄液チューブ１を開く方向に回すと弾性ボール３と中間空間部２５は圧迫を受けないので、中間空間部２５の流出溝２５ａを介してより多くの洗浄液が流出される状態となり（図７ａ、図７ｂに図示）、洗浄液チューブ１を締める方向に回すと、洗浄液チューブ１の組立突出部１１の排出孔１２が形成された先端部が弾性ボール３を圧迫して作用しながら、中間空間部２５の流出溝２５ａを圧迫させるようになり流出溝２５ａを閉鎖させるので、洗浄液が流出溝２５ａを通過できないようになり、洗浄液Ｓの流出が制御される（図６ａ、図６ｂに図示）。
【００２３】
本発明では、弾性ボール３が使用されるものと記述されているが、これに限定されるものではなく、金属ボールが中間空間部内に挿入されて前後進され、ブラシ組立部２の通過溝２６ａを開閉しながら洗浄液Ｓの流出を制御することもでき、弾性ボール３の代わりに金属ボールも使用することができ、本発明の解釈において、前記弾性ボールと金属ボールは同じ意味として解釈されるべきである。
【００２４】
このような構成を有する本発明による携帯用歯間ブラシＡの作動を以下に説明する。
【００２５】
フッ素が含まれる洗浄液Ｓが収納されたびん形の洗浄液チューブ１と、前記洗浄液チューブ１のボトルネック部が挿入されて組み立てられるように組立凹部孔２１が一端部に形成され、他端部にはブラシ２２が固定されたブラシ組立部２と、前記ブラシ組立部２の内側の洗浄液チューブ１の先端部に配置され、伸縮可能な弾性ボール３を含む携帯用歯間ブラシＡを使用しようとする場合に、洗浄液チューブ１を開く方向に回すと弾性ボール３と中間空間部２５は圧迫を受けないので、中間空間部２５の流出溝２５ａを介して洗浄液Ｓが流出され、ブラシ組立部２の通過溝２６ａを介してブラシ２２上に供給されるようになり、洗浄液Ｓがブラシ２２上に十分に供給されたと思われれば（図７ａ、図７ｂに図示）、洗浄液チューブ１を締める方向に回して、洗浄液チューブ１の組立突出部１１の排出孔１２が形成された先端部が弾性ボール３を圧迫されるように作用しながら、中間空間部２５の流出溝２５ａを圧迫させるようになり流出溝２５ａを閉鎖させるので、洗浄液が流出溝２５ａを通過できないようになり、洗浄液Ｓの流出が停止される状態で（図６ａ、図６ｂに図示）、携帯用歯間ブラシＡを使用することができるようになる。
【００２６】
このように洗浄液チューブ１が開く程度は、洗浄液チューブ１を開くために回動させる際に係止段１４上に形成された突起１４ａと、これとかみ合う嵌合凹部２３との組立によって開く程度を容易に認識することができるようになる。
【００２７】
このようにして、携帯用歯間ブラシＡの使用が終了すれば、ブラシ２２をよく洗浄しておき、次に前記で記述された通りに使用すれば、洗浄液Ｓの使用が尽きるまで便利に使用することができる。
【００２８】
図９ａ、図９ｂは、本発明の第２の実施例による携帯用歯間ブラシの概略的な縦断面図であって、前記携帯用歯間ブラシＡの洗浄液チューブ１と、前記ブラシ組立部２の組み立てがねじ組み立てされるのではなく、スナップ組み立てされる構造で、組立突出部１１の側面には、半円形に突出した突出半円部１７が一定間隔で離隔されるように形成され、これと対応するように組立凹部孔２１の内側にも半円形に形成された嵌合凹部２８が対応する間隔で離隔されるように形成されている。
【００２９】
洗浄液Ｓの流出がない使用されない状態では、前記突出半円部１７が順番に各嵌合凹部２８にかみ合った状態で組み立てられ、弾性ボール３が圧縮された状態なので、流出溝２５ａが圧迫されて流出溝２５ａを閉鎖させる状態となり、洗浄液Ｓの流出が停止されている（図９ａに図示）。この状態で歯間ブラシＡを使用しようとして突出半円部１７が形成された洗浄液チューブ１を後方に引っ張ると、突出半円部１７がかみ合っていた嵌合凹部２８から離脱されて、下部の嵌合凹部２８にかみ合うようになり、したがって、このように洗浄液チューブ１が後退され、弾性ボール３が元の位置に復帰されるように弛緩されるので（図９ｂに図示）、洗浄液Ｓの流出が開始されてブラシ２２上に洗浄液が供給される構造も可能であるといえる。
【００３０】
図１０ａ、図１０ｂは、本発明の第３の実施例による携帯用歯間ブラシの圧縮時と圧縮解除時の概略的な縦断面図であり、容易に洗浄液の流出や停止を行うことができるように改善したものであり、前記携帯用歯間ブラシＡは、洗浄液チューブ１の組立突出部１１の上端には逆流防止突出縁１１ａが形成され、組立突出部１１の側面には１回転または２回転程度のねじ突出部１８が形成され、前記ブラシ組立部２の組立凹部孔２１の下端の内側面の上端には逆流防止突出縁１１ａが安着される安着凹部２１ａが形成され、側面には前記ねじ突出部１８に対応するように１回転または２回転程度のねじ凹溝２９が形成されている。
【００３１】
したがって、洗浄液チューブ１やブラシ組立部２を１回転または２回転させると容易に洗浄液の流出や停止を制御することができるようになり、逆流防止突出縁１１ａにより停止時にも洗浄液の逆流が防止されるようになる。
【００３２】
図１１ａ、図１１ｂは、本発明の第４の実施例による携帯用歯間ブラシＡの概略的な縦断面図であって、前記携帯用歯間ブラシＡの洗浄液チューブ１の組立突出部１１に組み立てられるブラシ組立部２のブラシ２２の組立構造がブラシ組立部２の組立凹部孔２１の縦軸線Ｘに対してブラシ２２が直角に交差されるようにブラシ固定孔２７が縦軸線Ｘに対して直角に形成されて、全体的な組立凹部孔２１が「Ｌ」字状に曲げられた凹部を有するように設けられた構造であって、前記洗浄液チューブ１とブラシ組立部２の他の構成は、本発明の第１の実施例と同じ構造と機能を有する同一の構成要素であるため、その詳細な説明は省略する。
【００３３】
前記ブラシ組立部２のブラシ２２は、縦軸線Ｘに対して直角に配置されているので、奥歯のように口腔の内側に生えた歯の洗浄をより便利に洗浄することができ、歯間ブラシＡの使用時に洗浄液チューブ１を逆に持ち上げる必要なく、垂直状態で使用できるようになり、前記洗浄液チューブ１内の洗浄液Ｓが必要以上に流れ出てくるのを防ぐことになるので洗浄液Ｓを必要な分だけ排出して使用することが可能になる構造である。
【産業上の利用可能性】
【００３４】
本発明による携帯用歯間ブラシは、一般的な歯間ブラシの製造業において、同じ製品を繰り返し製造することが可能であるといえるので、産業上の利用可能性のある発明といえる。
【図１】
2016526938.tif 000003
【図２】
2016526938.tif 000004
【図３】
2016526938.tif 000005
【図４】
2016526938.tif 000006
【図５】
2016526938.tif 000007
【図６ａ】
2016526938.tif 000008
【図６ｂ】
2016526938.tif 000009
【図７ａ】
2016526938.tif 000010
【図７ｂ】
2016526938.tif 000011
【図８ａ】
2016526938.tif 000012
【図８ｂ】
2016526938.tif 000013
【図９ａ】
2016526938.tif 000014
【図９ｂ】
2016526938.tif 000015
【図１０ａ】
2016526938.tif 000016
【図１０ｂ】
2016526938.tif 000017
【図１１ａ】
2016526938.tif 000018
【図１１ｂ】
2016526938.tif 000019
【国際調査報告】
2016526938.tif 000020
2016526938.tif 000021
2016526938.tif 000022
2016526938.tif 000023